(57)【要約】【課題】リング状の模様を低コストで形成することができ、しかも、模様の位置の制約も小さい釣竿用部材とそれを備えた釣竿を提供する。【解決手段】竿本体に装着され、少なくとも外周面３ａがグリップ用素材からなる釣竿用部材３であって、前記外周面３ａに環状溝５が形成され、該環状溝５には装飾部材を巻回することにより環状とされた意匠リング６が設けられている。更に意匠リング６の外側にはクリアーコート層７が形成され、クリアーコート層７の表面は前記外周面３ａよりも一段内側に位置している。【選択図】図３
2014209857.tif 000002
【特許請求の範囲】
【請求項１】
竿本体に装着され、少なくとも外周面がグリップ用素材からなる釣竿用部材であって、前記外周面に環状溝が形成され、該環状溝には装飾部材を巻回することにより環状とされた意匠リングが設けられていることを特徴とする釣竿用部材。
【請求項２】
意匠リングは、装飾層を有するプラスチックフィルムからなる装飾テープから形成されている請求項１記載の釣竿用部材。
【請求項３】
装飾テープは、装飾層として蒸着層を有している請求項２記載の釣竿用部材。
【請求項４】
環状溝における意匠リングの外側にはクリアーコート層が形成され、該クリアーコート層の厚さは意匠リングの厚さよりも厚く、該クリアーコート層の表面は前記外周面よりも一段内側に位置している請求項１乃至３の何れかに記載の釣竿用部材。
【請求項５】
請求項１乃至４の何れかに記載の釣竿用部材を備えた釣竿。
【発明の詳細な説明】
【技術分野】
【０００１】
本発明は、釣竿に用いられる釣竿用部材とそれを備えた釣竿に関する。
【背景技術】
【０００２】
釣竿には種々の模様が施されるが、釣竿の構成部材が一般的には円筒状あるいは円柱状であることから、その外周面の全周に亘ってリング状の模様が施されることがある。一方、リアグリップやフロントグリップのようなグリップは、滑り止めの機能を持たせるために発泡ＥＶＡやコルクのようなグリップ用素材から構成され、円筒状に形成されて例えば竿本体（ブランク）の外側に固着されて使用される。このようなグリップにリング状の模様を施す手法として従来は、図６のようにグリップ１０３を竿先側のパーツ１０３ａと竿元側のパーツ１０３ｂに分割し、両パーツ１０３ａ，１０３ｂ間にアルミニウム製のリング１０６を配置して、該アルミニウム製のリング１０６の外周面を見せるようにしてリング状の模様を構成していた。
【０００３】
しかしながら、アルミニウム製のリング１０６を用いる手法ではグリップ１０３を前後二つのパーツ１０３ａ，１０３ｂに分割する必要があるうえに比較的高価なアルミニウム製のリング１０６も必要となることから製造コストが嵩むという問題がある。また、アルミニウム製のリング１０６を用いる手法ではグリップ１０３の端部に近い箇所にリング状の模様を形成することが実質上できなかった。即ち、グリップ１０３の端部に近い箇所にリング状の模様を形成しようとすると、アルミニウム製のリング１０６に対してグリップ１０３の端部側に位置するパーツの厚さを薄くする必要がある。しかしながら、発泡ＥＶＡ等のグリップ用素材から構成されているので、薄く形成することには限界がある。そのため、パーツの厚さを確保できる程度にグリップ１０３の端部から離れた位置にアルミニウム製のリング１０６を配置してリング状の模様を形成することになる。同様の理由から、リング状の模様を短いピッチで複数本並設するということもできなかった。
【先行技術文献】
【特許文献】
【０００４】
【非特許文献１】２０１３シマノフィッシングタックルカタログＰ１０７
【発明の概要】
【発明が解決しようとする課題】
【０００５】
それゆえに本発明は上記従来の問題点に鑑みてなされ、リング状の模様を低コストで形成することができ、しかも、模様の位置の制約も小さい釣竿用部材とそれを備えた釣竿を提供することを課題とする。
【課題を解決するための手段】
【０００６】
本発明は上記課題を解決すべくなされたものであって、本発明に係る釣竿用部材は、竿本体に装着され、少なくとも外周面がグリップ用素材からなる釣竿用部材であって、前記外周面に環状溝が形成され、該環状溝には装飾部材を巻回することにより環状とされた意匠リングが設けられていることを特徴とする。
【０００７】
該構成の釣竿用部材にあっては、外周面に環状溝が形成され、該環状溝に意匠リングが設けられているので、リング状の模様を形成する位置で釣竿用部材を二つに分割する必要がない。そして、装飾部材を環状溝に巻回することで、金属製のリングを使用することなく容易に意匠リングを形成することができる。
【０００８】
特に、意匠リングは、装飾層を有するプラスチックフィルムからなる装飾テープから形成されていることが好ましい。装飾テープを使用することにより意匠リングを容易に薄く形成することができる。従って、肉厚の薄い釣竿用部材であっても容易にリング状の模様を形成することができる。また製造コストもより一層安価で済む。更に金属製のリングを使用する場合に比して軽量化することができる。
【０００９】
更に、装飾テープは、装飾層として蒸着層を有していることが好ましい。蒸着層を有する装飾テープを使用することにより容易に金属光沢が得られ、金属製のリングを擬似的に演出することができる。
【００１０】
また、環状溝における意匠リングの外側にはクリアーコート層が形成され、該クリアーコート層の厚さは意匠リングの厚さよりも厚く、該クリアーコート層の表面は前記外周面よりも一段内側に位置していることが好ましい。該構成によれば、環状溝における意匠リングの外側にクリアーコート層が形成されていることにより、意匠リングがクリアーコート層により保護される。また、クリアーコート層の厚さが意匠リングの厚さよりも厚いので、十分な厚さの保護層が得られる。その一方クリアーコート層の表面は釣竿用部材の外周面よりも一段内側に位置しているので、クリアーコート層が環状溝からはみ出すことがなく、クリアーコート層を形成するためのコーティング剤も環状溝を埋める程度で済むので少量で足りる。しかも、クリアーコート層が外周面よりも一段内側に低くなっているので手で把持してもクリアーコート層が剥がれにくい。特にグリップ用素材として発泡ＥＶＡのように比較的柔らかくて外力に対して凹状に変形しやすい素材を使用している場合には、クリアーコート層を相対的に厚く形成すると共に外周面よりも一段低く形成することにより、クリアーコート層の剥がれを特に効果的に防止することができる。
【発明の効果】
【００１１】
以上のように、釣竿用部材の外周面に環状溝を形成すると共にその環状溝に装飾部材を巻回して意匠リングを形成することにより、製造コストを抑制することができ、リング状の模様の配置にも制約を受けにくい。
【図面の簡単な説明】
【００１２】
【図１】本発明の一実施形態における釣竿の要部を示す正面図であって、（ａ）は釣竿の全体構成を示し、（ｂ）は釣竿に使用されている釣竿用部材を示している。
【図２】同釣竿に使用されている釣竿用部材を示す正面図。
【図３】同釣竿用部材の要部断面図。
【図４】同釣竿に使用されている釣竿用部材を示す正面図。
【図５】同釣竿用部材の要部断面図。
【図６】従来の釣竿の要部を示す正面図。
【発明を実施するための形態】
【００１３】
以下、本発明の一実施形態に係る釣竿とそれに使用されている釣竿用部材について図１〜図５を参酌しつつ説明する。尚、竿先側を前側と、竿元側を後側として以下説明する。図１に示すように、本実施形態の釣竿は、円筒状の竿本体１（ブランク）にリールシート２が装着されたものであり、該リールシート２の後側の位置には、リアグリップ（グリップ）が竿本体１に装着されている。この釣竿は、スピニングリールを装着して使用する形式のものであり、従って、リールシート２もスピニングリールを装着する形式のものである。
【００１４】
リールシート２は、竿本体１が挿通可能なように軸線方向（竿軸方向）に貫通する貫通孔を有して全体として筒状に形成されていて、竿本体１の外周面に取り付けられている。該リールシート２は、竿本体１に固着される筒状のリールシート本体２０と、該リールシート本体２０の前部に形成された筒状部（図示省略）に外嵌装着されるシートグリップ２１と、リールシート本体２０の後部に軸線方向に移動可能に装着された可動フード体２２と、該可動フード体２２の後側に連結され、リールシート本体２０の後部の雄ネジ部２３に螺合しているナット２４とを備えている。リールシート本体２０の下部にはリールの脚部が載置される脚載置面２５が形成され、該脚載置面２５の前側には固定フード部２６が形成されている。ナット２４を回転させることで可動フード体２２を前後にスライドさせることが可能であり、可動フード体２２を前側に移動させてリールシート本体２０の固定フード部２６に接近させることにより、固定フード部２６と可動フード体２２との間にリールの脚部を軸線方向に狭持して固定することができる。尚、固定フード部２６が後側に位置し、可動フード体２２とナット２４が前側に位置する態様であってもよい。
【００１５】
リアグリップは、前後セパレートタイプである。即ち、リアグリップは、前側の第一のリアグリップ体３と後側の第二のリアグリップ体４とから構成されている。第一のリアグリップ体３は、リールシート２の後側に位置しており、具体的には、リールシート２の後端から離間することなくその直ぐ後側の位置に装着されている。第一のリアグリップ体３は、竿本体１が挿通可能なように軸線方向に貫通する貫通孔３０を有して全体として筒状に形成されていて、竿本体１の外周面に取り付けられている。第二のリアグリップ体４は、第一のリアグリップ体３に対して所定距離後側に離間して配置されており、第一のリアグリップ体３と第二のリアグリップ体４との間には竿本体１が露出している。第二のリアグリップ体４は、第一のリアグリップ体３よりも長く全体として筒状である。第二のリアグリップ体４には、竿本体１が前側から挿入可能なように軸線方向に延びる非貫通の挿通孔４０が形成されており、従って第二のリアグリップ体４は前端開口後端閉塞の筒状となっていて竿本体１の後端部に装着されている。
【００１６】
図１（ｂ）には、シートグリップ２１と、第一のリアグリップ体３と、第二のリアグリップ体４のみを図示しているが、本実施形態において、これら三つの釣竿用部材が少なくとも外周面がグリップ用素材から構成された釣竿用部材であり、より詳細には、外周面のみならずその全体がグリップ用素材から構成されたものである。グリップ用素材には把持した際に滑り止め機能を発揮する素材が適用でき、適度なクッション性を備えていることが好ましい。グリップ用素材としては例えば発泡ＥＶＡ等の発泡樹脂、コルク、木等が例示でき、特に、発泡ＥＶＡから成形により形成すると、製造も容易であり低コストであるうえに、適度な柔らかさとクッション性を備えていて軽量化にも適しているため好ましい。本実施形態においては、これら三つの釣竿用部材のうち第一のリアグリップ体３と第二のリアグリップ体４にそれぞれ意匠リング６が形成されている。以下、詳細に説明する。
【００１７】
第一のリアグリップ体３は、図２に示すように、前側の方が若干大径となっていて全体としては前側に向けて拡径していく形状となっており、その後端部近傍に意匠リング６が形成されている。図３にその要部の拡大図を示しているが、第一のリアグリップ体３の後端部近傍の外周面３ａに環状溝５が形成され、該環状溝５の底部に装飾部材が巻回されている。該装飾部材は、その長手方向が周方向となるようにして巻回されており、具体的には、装飾部材として装飾テープが巻回されている。該装飾テープが環状となって意匠リング６が構成されており、該意匠リング６の外側にはクリアーコート層７が形成されている。尚、図２において第一のリアグリップ体３の外周面３ａの箇所には、環状溝５を除いて、多数のドットを付して示している。図４も同様であって、第二のリアグリップ体４の外周面４ａの箇所には、環状溝５を除いて、多数のドットを付して示している。
【００１８】
環状溝５は、断面視矩形の溝形状であってその底部は略フラットに形成されているが、この環状溝の溝形状は任意であって半円状やＵ字状、Ｖ字状としてもよい。環状溝５の幅も任意であるが、例えば０．５〜１０ｍｍ、好ましくは１〜５ｍｍであり、環状溝５の深さも任意であるが、例えば、５ｍｍ以下、好ましくは１〜２ｍｍである。本実施形態においては環状溝５はその幅寸法よりも深さ寸法の方が大きい。かかる環状溝５は、第一のリアグリップ体３を発泡ＥＶＡから成形により形成する場合には、その成形時に一体的に形成してもよいし、成形後において切削加工やレーザー加工等により形成してもよい。
【００１９】
装飾テープは複数回巻回してもよいが一回巻きとすることが好ましく、一端部の外側に他端部を所定長さ重ね合わせて環状とする。該装飾テープは、装飾層としての蒸着層を有するプラスチックフィルムからなり、その内面には粘着層が形成されている。即ち、装飾テープは、片面に蒸着層を有するベースフィルムの内面に粘着層が形成されたものであり、ベースフィルムとしては例えばＰＥＴフィルム等のポリエステル系のフィルムを使用でき、その厚さは例えば３０〜６０μｍ程度である。蒸着層は、金属光沢を有するものが好ましく、各種の金属蒸着膜やセラミック蒸着膜からなる金属光沢を有する光反射層である。代表的にはアルミニウム等の金属蒸着膜や酸化チタン等のセラミック蒸着膜が挙げられ、真空蒸着法やスパッタリング法、イオンプレーティング法等によって形成される。その厚さは、１μｍ以下、特に０．１μｍ以下であって、数十ｎｍとすることが好ましい。また、粘着層は、例えばアクリル系粘着剤等の各種の粘着剤からなり、例えば、１５〜３０μｍ程度の厚さであって、該粘着層によって容易に装飾テープを環状溝５の底部に巻回しつつ貼着することができる。但し、粘着層が省略されていてもよく、接着剤により環状溝５の底部に装飾テープを接着してもよい。装飾テープの幅は任意であるが環状溝５の幅と略同一幅とすることが好ましい。尚、蒸着層に加えて、ベースフィルムにオフセット印刷やシルクスクリーン印刷等の各種の印刷手法によって模様等の別途の装飾層を形成してもよい。
【００２０】
クリアーコート層７は意匠リング６の保護層となる層であり、透明なコーティング剤を意匠リング６の外側に塗布することにより形成される。透明なコーティング剤としては、例えば、エポキシ樹脂やアクリル樹脂、アクリルウレタン樹脂等が挙げられる。該クリアーコート層７の厚さは意匠リング６よりも厚いことが好ましく、例えば０．１〜０．２ｍｍの厚さである。クリアーコート層７は、環状溝５内のみに形成されていて第一のリアグリップ体３の外周面３ａにははみ出さないように形成されており、その表面が第一のリアグリップ体３の外周面３ａよりも一段内側に位置するようにして形成されている。
【００２１】
図４及び図５のように第二のリアグリップ体４にも同様に意匠リング６が形成されている。第二のリアグリップ体４にはその前端部近傍の外周面４ａに意匠リング６が複数本、具体的には二本形成されている。各意匠リング６の構成は上述した第一のリアグリップ体３における意匠リング６と同様である。尚、本実施形態においては、二本の意匠リング６の間の間隔は、意匠リング６（環状溝５）の幅と同じかあるいはそれよりも狭くなっているが、逆に、意匠リング６の幅よりも広くてもよい。
【００２２】
以上のように構成された釣竿にあっては、第一のリアグリップ体３及び第二のリアグリップ体４にそれぞれ意匠リング６が形成されているので、無機質な発泡ＥＶＡ等のグリップ用素材からなる釣竿用部材の外周面３ａ，４ａに効果的な意匠を施すことができる。特に意匠リング６が装飾テープを環状溝５に巻回することで環状に形成されたものであるので、金属製のリングを使用することなく、低コストに製造でき、また軽量化にもなる。また、第一のリアグリップ体３や第二のリアグリップ体４を二つに分割してその間に金属製のリングを介在させるという必要がないので、第一のリアグリップ体３や第二のリアグリップ体４の端部近傍であっても容易に意匠リング６を形成することができ、意匠リング６を短いピッチで複数本並設することも容易である。また、蒸着層により金属光沢を有しているので、金属製のリングの意匠を擬似的に表現することができ、安価に高級感を演出することができる。
【００２３】
更に、環状溝５における意匠リング６の外側にはクリアーコート層７が形成されているので、意匠リング６がクリアーコート層７により保護されて、長期の使用にも耐え得る高い耐久性が得られる。しかも、クリアーコート層７の厚さが意匠リング６の厚さよりも厚いので、十分な厚さの保護層が得られ、耐久性が向上する。一方、クリアーコート層７の表面は第一のリアグリップ体３の外周面３ａや第二のリアグリップ体４の外周面４ａよりも一段内側に位置しているので、クリアーコート層７が環状溝５からはみ出すことがなく、クリアーコート層７を形成するためのコーティング剤も少量で済み、しかも、手で把持してもクリアーコート層７が剥がれにくい。特にグリップ用素材として発泡ＥＶＡのように比較的柔らかくてクッション性を有している素材を使用している場合には、クリアーコート層７を相対的に厚く形成すると共に外周面３ａ，４ａよりも一段低く形成することにより、クリアーコート層７の剥がれを特に効果的に防止することができる。
【００２４】
尚、本実施形態では、意匠リング６を形成するための装飾テープとして蒸着層を有するプラスチックフィルムを使用したが、これに代えて、透明なベースフィルムに装飾層を形成したプラスチックフィルムを使用してもよい。その場合、ベースフィルムには透明性に優れたプラスチックフィルムを使用することが好ましく、例えばＰＶＣフィルムが使用できる。装飾層は各種の印刷手法やホットスタンプ法により形成できる。装飾層は各種の文字や図柄とすることができる。尚、装飾部材としてはこのような装飾テープの他にも例えば各種の糸等も使用できる。但し、装飾テープを使用することにより、その幅を環状溝５の幅に容易に合わせることができるため、環状溝５の幅、意匠リング６の幅を任意に設定しやすいという利点がある。何れにしても、装飾部材を環状溝５に巻回することによって環状の意匠リング６を形成するので、外周面３ａ，４ａが円形ではなく従って環状溝５の底部も円形ではない場合、例えば周方向に大きくうねるような形状であっても、その環状溝５の底部の形状に容易に追従して環状に形成することができ、各種形状の釣竿用部材に適用することが可能である。尚、一つの環状溝５に複数本の装飾テープ等の装飾部材を並設するように配置してもよく、一つの環状溝５に複数種類の装飾部材を巻回するようにしてもよい。
【００２５】
また、上記実施形態では第一のリアグリップ体３の後端部近傍に意匠リング６を一本形成したが、軸線方向に間隔をあけて複数本形成してもよく、意匠リング６の本数は任意である。また、第一のリアグリップ体３の前端部近傍に意匠リング６を設けてもよく、後端部近傍と前端部近傍の双方に意匠リング６を設けてもよい。また更に、第一のリアグリップ体３の端部近傍ではなく端部から離れた箇所（例えば軸線方向中央部）に意匠リング６を設けてもよく、意匠リング６の位置も任意である。第二のリアグリップ体４の意匠リング６についても同様であって、その本数や位置は任意である。
【００２６】
また更に、リアグリップを前後セパレートタイプとしたが、リアグリップが一つの部材からなる構成であってもよい。また、第二のリアグリップ体４の挿通孔４０を貫通孔として例えば竿本体１の後端部にエンドキャップを装着するようにしてもよい。エンドキャップを装着する点は、リアグリップを前後セパレートタイプとせずに一つの部材から構成する場合であっても同様に採用可能である。
【００２７】
尚、上記実施形態ではリアグリップに意匠リング６を形成したが、シートグリップ２１に意匠リング６を形成してもよい。また、ナット２４の少なくとも外周面をグリップ用素材から構成してその外周面３ａに意匠リング６を形成してもよい。更に、リールシート２の前側にフロントグリップを設けて、そのフロントグリップに意匠リング６を形成してもよい。
【符号の説明】
【００２８】
１    竿本体
２    リールシート
３    第一のリアグリップ体
３ａ  外周面
４    第二のリアグリップ体
４ａ  外周面
５    環状溝
６    意匠リング
７    クリアーコート層
２０    リールシート本体
２１    シートグリップ
２２    可動フード体
２３    雄ネジ部
２４    ナット
２５    脚載置面
２６    固定フード部
３０    貫通孔
４０    挿通孔
【図１】
2014209857.tif 000003
【図２】
2014209857.tif 000004
【図３】
2014209857.tif 000005
【図４】
2014209857.tif 000006
【図５】
2014209857.tif 000007
【図６】
2014209857.tif 000008